(57)【要約】      （修正有）【課題】アンテナ組立体を使用者の少なくとも１点の衣類の上に解放自在に固定する締結装置を提供する。【解決手段】アンテナ組立体は、使用者の衣類１５に着用される携帯型通信装置を具備する通信システムの一部である。締結装置２００は、本体部分２０５および細長い受入れ部分２１０から構成される。受入れ部分２１０は、細長い溝２１１と、細長い開口部２１２を画定する弾性波形部２１５、２１６の対とを有する。波形部２１５、２１６の対は、アンテナ組立体のセグメント１１０ａを開口部２１２に通して溝２１１の中へ案内する。一旦、セグメント１１０ａが溝２１１の中へ強制されると、波形部２１５、２１６は通常の位置に戻り、セグメント１１０ａを溝２１１の中に固定する。締結装置２００は、フックアンドループ締結具、スライドキーパクリップの対、またはカラビナクリップを使用する帯で、使用者の少なくとも１点の衣類１５上の輪に装着される。【選択図】図２
2010021756.tif 000002
【特許請求の範囲】
【請求項１】
アンテナ組立体を表面に解放自在に固定する使用者着用型アンテナ締結装置であって、
本体部分と、
前記本体部分の上に画定された細長い受入れ部分と、
前記アンテナ組立体のセグメントを受け入れかつ解放自在に固定するように構成された細長い溝の中へ開き、前記細長い受入れ部分の中に画定された、所定の第１の幅の細長い開口部と、
前記セグメントを前記細長い開口部に通して前記細長い溝の中へ案内するように構成された、前記細長い開口部を画定する少なくとも１つの弾性波形部であって、前記セグメントが前記細長い開口部に通して強制されるとき、前記細長い開口部を所定の第２の幅に強制し、前記セグメントが前記細長い開口部を通り抜けてしまうと通常の位置に戻って、前記細長い溝の中の前記セグメントに固定力を加える少なくとも１つの弾性波形部と、
前記本体部分を前記表面に装着する手段と
を備える使用者着用型アンテナ締結装置。
【請求項２】
前記細長い溝は、前記セグメントの直径に実質的に等しいかまたは該直径よりも小さい所定の直径を有し、前記細長い溝は、前記細長い溝の中の前記セグメントに追加的な固定力を加えるように構成される、請求項１に記載の装置。
【請求項３】
前記弾性波形部および前記細長い溝は、前記固定力に打ち勝つのに十分な力が前記セグメントに加えられるとき、前記セグメントを自動的に解放するように構成される、請求項２に記載の装置。
【請求項４】
前記弾性波形部は、前記細長い開口部を画定する弾性波形部の対である、請求項１に記載の装置。
【請求項５】
前記本体部分を前記表面に装着する前記手段は、フックアンドループ締結具、スライドキーパクリップ、およびカラビナクリップを使用する繊維の帯からなる群の部材から選択される、請求項１に記載の装置。
【請求項６】
前記表面は、前記アンテナ組立体および携帯型通信装置を備える携帯型通信システムの使用者によって着用される衣類上にある、請求項１に記載の装置。
【請求項７】
アンテナ組立体を携帯型通信システムの使用者の少なくとも１点の衣類に解放自在に固定する少なくとも１つの締結装置を使用する方法であって、
前記締結装置の本体部分を取付け手段で前記衣類に取り付けるステップと、
前記アンテナ組立体のセグメントを前記本体部分の上に画定された細長い受入れ部分の中に画定された細長い開口部と位置合わせするステップであって、前記アンテナ組立体のセグメントを受け入れかつ解放自在に固定するように構成された細長い溝の中へ開く前記細長い開口部は、所定の第１の幅がある、位置合わせするステップと、
少なくとも１つの弾性波形部によって案内された前記セグメントを前記細長い開口部に通して前記細長い溝の中へ強制するステップであって、前記弾性波形部は、前記セグメントが前記細長い開口部に通して強制されるとき、前記細長い開口部を所定の第２の幅に拡張するように強制し、前記弾性波形部は、前記セグメントが前記細長い開口部を通り抜けてしまうと通常の位置に戻って、前記細長い溝の中の前記セグメントに固定力を加える、強制するステップと
を含む方法。
【請求項８】
前記細長い溝の中の前記セグメントに追加的な固定力を加えるように構成された、前記セグメントの直径に実質的に等しいかまたは該直径よりも小さい所定の直径を有するように、前記細長い溝を選択するステップをさらに含む、請求項７に記載の方法。
【請求項９】
前記固定力に打ち勝つのに十分な力が前記セグメントに加えられるとき、前記セグメントを自動的に解放するように、前記弾性波形部および前記細長い溝を構成するステップをさらに含む、請求項８に記載の方法。
【請求項１０】
前記弾性波形部が、前記細長い開口部を画定する弾性波形部の対であるように選択するステップをさらに含む、請求項７に記載の方法。
【発明の詳細な説明】
【技術分野】
【０００１】
本発明は通信の分野に関する。さらに詳細には、本発明は、使用者によって携行される携帯型通信装置用のアンテナ組立体を使用者の少なくとも１点の衣類に解放自在に固定するための締結装置および関連する使用方法に関する。
【背景技術】
【０００２】
警察官、消防士、警備員、および兵士のような人員間の通信用携帯型無線機のような携帯型通信装置の使用が知られている。このような携帯型無線機は、嵩が大きく、かつ典型的には相対的に大型のアンテナを含む人員携行型無線機を具備していた。無線通信技術における、より最近の進歩は、手持ち型無線機として知られる遙かに小型の携帯型無線通信装置をもたらした。これらの携帯型無線通信装置は便利であるが、一般によりに長い到達距離の通信能力が限定される。この限定は、１つには、この無線通信装置に典型的に結合される従来型のアンテナに関わる効率不足によるものである。特に、従来の手持ち型無線機は、一般に「ラバーダック」アンテナまたは「ホイップ」アンテナとして知られる短い柔軟なゴム被覆アンテナを利用する。これらのアンテナは通常、電気装荷によって長さが相対的に短く作製される垂直のモノポール設計である。
【０００３】
より大きな到達距離を実現するために、いくつかの携帯型無線機は、従来のブレードアンテナに結合するように設計されてきた。しかし、従来のブレードアンテナは「ラバーダック」または「ホイップ」アンテナに比べて相対的に大きいという問題が残る。したがって、ブレードアンテナを使用者の衣服に着脱可能に装着しようと試みられてきた。携帯型無線機も使用者の衣服に着脱可能に装着されうる。アンテナおよび携帯型通信装置は、共に携帯型通信システムを画定する。
【０００４】
例えば、パッカー（Ｐａｃｋｅｒ）への米国特許第６９４０４６２号では、アンテナ組立体を画定するために少なくとも１つの締結具によって使用者の衣類に着脱可能に固定される広帯域ダイポールアンテナが存在する。このアンテナ組立体は、同様に使用者によって携行される携帯型無線機に結合される。この少なくとも１つの締結具は、アンテナの導電スリーブの両端に隣接する締結具の対を具備しうる。各締結具は、この締結具を使用者の衣類に連結するための金属クリップと、クリップ取付けブラケットと、この取付けブラケットによって担持される簡易解放ノブを含みうる。しかし、この配置は、嵩が大きく、重量があって、製造費が掛かり、操作が過剰に複雑で、一般的に不具合であると考えられてきた。
【０００５】
以上に加えて、アンテナ組立体を使用者の衣類に着脱可能に装着するために他の装置が使用されてきた。このような装置は、Ｍｏｌｌｅ（Ｍｏｄｕｌｅｒ  Ｌｉｇｈｔｗｅｉｇｈｔ  Ｌｏａｄ−ｃａｒｒｙｉｎｇ  Ｅｑｕｉｐｍｅｎｔモジュール式軽量荷物携行装備）式クリップ、フックアンドループ締結具、カラビナクリップ、およびＡＬＩＣＥ（Ａｌｌ  Ｐｕｒｐｏｓｅ  Ｌｉｇｈｔｗｅｉｇｈｔ  Ｉｎｄｉｖｉｄｕａｌ  Ｃａｒｒｙｉｎｇ  Ｅｑｕｉｐｍｅｎｔ汎用軽量個人携行装備）クリップ、またはこれらの締結具の組合せを含んできた。しかし、これらの装置も、以上の１つまたは複数の理由のために不具合であると考えられてきた。
【特許文献１】米国特許第６９４０４６２号明細書
【発明の開示】
【発明が解決しようとする課題】
【０００６】
以上に鑑み、簡素で、効果的で、薄くかつ軽量で、製造費が安く、しかもすべての軍事用締結技術に適合した携帯型通信装置に使用するために、アンテナ組立体を使用者の衣類に解放自在に固定する装置に対する要望が依然として存在する。
【課題を解決するための手段】
【０００７】
本発明の一実施形態では、本発明は、アンテナ組立体を表面に解放自在に固定する使用者着用型アンテナ締結装置に関する。使用者着用型アンテナ締結装置は、本体部分と、この本体部分の上に画定された細長い受入れ部分と、この細長い受入れ部分の中に画定された細長い開口部とを含む。細長い開口部は、アンテナ組立体のセグメントを受け入れかつ解放自在に固定するように構成された細長い溝の中へ開く。
【０００８】
細長い開口部を画定する少なくとも１つの弾性波形部が存在する。弾性波形部は、セグメントを細長い開口部に通して細長い溝の中へ案内するように構成される。弾性波形部はまた、セグメントが細長い開口部に通して強制されるとき、細長い開口部を所定の第１の幅から所定の第２の幅に拡張するように構成される。第１の幅はセグメントの直径よりも小さく、第２の幅はセグメントの直径に等しい。弾性波形部は、セグメントが細長い開口部を通り抜けてしまうと通常の位置に戻る。少なくとも１つの弾性波形部は、細長い溝の中のセグメントに固定力を加える。本発明の一実施形態では、弾性波形部は、細長い開口部を画定する弾性波形部の対である。
【０００９】
細長い溝は、セグメントの直径に実質的に等しいかまたはそれよりも小さい所定の直径を有する。セグメントの実質的に等しいかまたは小さい直径は、細長い溝の中のセグメントに追加的な固定力を加えるように構成される。弾性波形部および細長い溝は、固定力に打ち勝つのに十分な力がセグメントに加えられるとき、セグメントを自動的に解放するように構成される。
【００１０】
本体部分を表面に装着する手段が存在する。本体部分を表面に装着する手段は、遠端上にフックアンドループ締結具を有する複数の帯の使用を含む。本体部分は、この本体部分を表面に取り付けるために、該細長い受入れ部分の両側に、第１および第２の縁に隣接して配置された水平な細穴に作られた穴を含む。本体部分はまた、アンテナ組立体のセグメントをさらに解放自在に固定する帯の対を受け入れるために、細長い受入れ部分の両側に、第３および第４の縁に隣接して配置された垂直な細穴に作られた穴を含む。
【００１１】
帯の第１の対が、本体部分の第１の縁に隣接する水平な細穴に作られた穴と表面上の輪とに通される。帯の第２の対が、本体部分の第２の縁に隣接する水平な細穴に作られた穴に通される。帯の第１の対の端部は、フックアンドループ締結具を使用して、帯の第２の対のそれぞれの端部に締結される。
【００１２】
セグメントを受入れ部分の細長い溝の中でさらに固定するために、本体部分の第３および第４の側面に隣接する垂直な細穴に作られた穴に通された帯の第３の対が存在する。これらの帯の第１の帯が、第１の弾性波形部の中に画定された第１の細穴と第２の弾性波形部の中に画定された第２の細穴とに通される。第１の帯は弾性波形部の上に折り返され、かつ弾性波形部を締め付けるために引き締められる。第１の帯は、この帯の両面上に配置されたフックアンドループ締結具でそれ自体に固定される。第１の帯は、アンテナ組立体のセグメントを細長い溝の中でさらに固定するために、弾性波形部を締め付けるほどに十分な力で引き締められる。別法として、セグメントを細長い溝の中でさらに固定するために、これらの帯の第２の帯を弾性波形部およびセグメントの上に持って来る。第２の帯は、これらの帯のそれぞれの表面上に配置されたフックアンドループ材料を使用して、第１の帯に固定される。
【００１３】
本発明の別の実施形態では、本体部分を衣類に装着する手段が、本体部分の第１の縁に隣接する水平に貫かれた穴と衣類の上の輪とに通された１つまたは複数のＡＬＩＣＥクリップの使用を含む。ＡＬＩＣＥクリップが本体部分の第１の縁に隣接する水平に貫かれた穴と衣類の上の輪とに通されると、ＡＬＩＣＥクリップの滑動部分は、本体部分を衣類の上の輪に固定する閉じた位置に移動する。
【００１４】
本発明の別の実施形態では、本体部分を衣類に装着する手段が、本体部分の第３および第４の縁に隣接して配置された穴の対と衣類の上の輪とに通されたカラビナクリップの使用を含む。カラビナクリップのばね偏倚リンク（spring biased link）は、本体部分を輪に固定するために、クリップが穴と輪とに通されると、閉じた位置に自動的に移動する。
【００１５】
本発明の一実施形態では、表面は、アンテナ組立体と携帯型通信装置とを備える携帯型通信システムの使用者によって着用された衣類上にある。本発明の別の実施形態では、表面は、車両の中におけるような別の箇所に配置される。
【００１６】
本発明の別の実施形態では、アンテナ組立体をこのアンテナ組立体に結合された携帯型通信装置の使用者の少なくとも１点の衣類に解放自在に固定する締結または簡易切離し装置が存在する。少なくとも１点の衣類は、シャツ、ズボン、ベルト、またはベストであるように選択される。
【００１７】
使用者着用型アンテナ締結装置は、本体部分と、この本体部分の上に画定された細長い受入れ部分と、この細長い受入れ部分の中に画定された、細長い溝部分の中へ開く細長い開口部とを備える。細長い溝部分は、アンテナ組立体のセグメントを受け入れかつ解放自在に固定するように構成される。
【００１８】
セグメントを細長い開口部に通して細長い溝の中へ案内するために、細長い開口部を画定する少なくとも１つの弾性波形部が存在する。弾性波形部は、セグメントが細長い開口部に通して強制されるとき、細長い開口部を強制して所定の第１の幅から所定の第２の幅に拡張するように構成される。第１の幅はセグメントの直径よりも小さく、第２の幅はセグメントの直径に等しい。弾性波形部は、セグメントが細長い開口部を通り抜けてしまうと通常の位置に戻って、細長い溝の中のセグメントに固定力を加える。本発明の一実施形態では、弾性波形部は、細長い開口部を画定する弾性波形部の対である。
【００１９】
細長い溝は、セグメントの直径に実質的に等しいかまたはそれよりも小さい所定の直径を有する。細長い溝は、この細長い溝の中のセグメントに追加的な固定力を加えるように構成される。弾性波形部および細長い溝は、固定力に打ち勝つのに十分な力がセグメントに加えられるとき、セグメントを自動的に解放するように構成される。
【００２０】
本体部分を衣類に装着する手段が存在する。本体部分を表面に装着する手段は、遠端(distal ends)の上にフックアンドループ締結具を有する複数の帯の使用を含む。本体部分は、この本体部分を表面上に装着するために、該細長い受入れ部分の両側に、第１および第２の縁に隣接して配置された水平な細穴に作られた穴を含む。本体部分はまた、アンテナ組立体のセグメントをさらに解放自在に固定するために帯の対を受け入れるように、細長い受入れ部分の両側に、第３および第４の縁に隣接して配置された垂直な細穴に作られた穴を含む。
【００２１】
帯の第１の対が、本体部分の第１の縁に隣接する水平な細穴に作られた穴と衣類の表面上の輪とに通される。帯の第２の対が、本体部分の第２の縁に隣接する水平な細穴に作られた穴に通される。帯の第１の対の端部は、フックアンドループ締結具を使用して、帯の第２の対のそれぞれの端部に締結される。
【００２２】
セグメントを受入れ部分の細長い溝の中でさらに固定するために、本体部分の第３および第４の縁に隣接する垂直な細穴に作られた穴に通された帯の第３の対が存在する。これらの帯の第１の帯が、第１の弾性波形部の中に画定された第１の細穴と、第２の弾性波形部の中に画定された第２の細穴とに通される。第１の帯は、引き締められて弾性波形部の上に折り返され、かつ第１の帯の両面上に配置されたフックアンドループ締結具でそれ自体に固定される。第１の帯は、アンテナ組立体のセグメントを細長い溝の中でさらに固定するために、弾性波形部を締め付けるほどに十分な力で引き締められる。別法として、セグメントを細長い溝の中でさらに固定するために、これらの帯の第２の帯を弾性波形部およびセグメントの上に持って来る。第２の帯は、帯のそれぞれの表面上に配置されたフックアンドループ材料を使用して、第１の帯に固定される。
【００２３】
本発明の別の実施形態では、本体部分を衣類に装着する手段が、本体部分の第１の縁に隣接する水平に貫かれた穴と衣類の上の輪とに通された１つまたは複数のＡＬＩＣＥクリップの使用を含む。ＡＬＩＣＥクリップが、本体部分の第１の縁に隣接する水平に貫かれた穴と衣類の上の輪とに通されると、ＡＬＩＣＥクリップの滑動部分は、本体部分を衣類の上の輪に固定する閉じた位置に移動する。
【００２４】
本発明の別の実施形態では、本体部分を衣類に装着する手段が、本体部分の第３および第４の縁に隣接して配置された穴の対と衣類の上の輪とに通されたカラビナクリップの使用を含む。カラビナクリップのばね偏倚リンクは、本体部分を輪に固定するために、クリップが穴と輪とに通されると、閉じた位置に自動的に移動する。
【００２５】
本発明の別の実施形態では、アンテナ組立体を携帯型通信システムの使用者の少なくとも１点の衣類に解放自在に固定するために、少なくとも１つの簡易切離し装置を使用する方法が存在する。本方法は、取付け手段で締結装置の本体部分を衣類に取り付けるステップを含む。取付け手段は、フックアンドループ締結具、スライドキーパクリップ、またはカラビナクリップを使用する繊維の帯であるように選択される。本方法は、衣類がシャツ、ズボン、ベルト、またはベストであるように選択するステップをさらに含む。
【００２６】
本方法は、アンテナ組立体のセグメントを本体部分の上に画定された細長い受入れ部分の中に画定された細長い開口部と位置合わせするステップを含む。本方法は、少なくとも１つの弾性波形部によって案内されたセグメントを細長い開口部に通して細長い溝の中へ強制するステップを含む。本方法は、弾性波形部が、細長い開口部を画定する弾性波形部の対であるように選択するステップをさらに含む。
【００２７】
本方法は、セグメントが細長い開口部に通して強制されるとき、弾性波形部が、細長い開口部を強制して所定の第１の幅から所定に第２の幅に拡張するステップを含む。
【００２８】
本方法は、セグメントが細長い開口部を通り抜けてしまうと弾性波形部が通常に位置に戻って、細長い溝の中のセグメントに固定力を加えるステップを含む。細長い開口部は、アンテナ組立体のセグメントを受け入れかつ解放自在に固定するように構成された細長い溝の中へ開く。
【００２９】
本方法は、細長い溝が、セグメントの直径に実質的に等しいかまたはそれよりも小さい所定の直径を有するように選択するステップを含む。細長い溝は、セグメントに追加的な固定力を加えるように構成される。
【００３０】
本方法は、固定力に打ち勝つのに十分な力がセグメントに加えられるときにセグメントを自動的に解放するように、弾性波形部および細長い溝を構成するステップを含む。
【００３１】
本方法は、帯の第３の対からの第１の帯の自由端を第１の弾性波形部の中に画定された第１の細穴に通すステップを含む。帯の第３の対は、本体部分の中の垂直な細穴に作られた穴に通される。第１の帯の自由端は、第２の弾性波形部の中に画定された第２の細穴にさらに通される。第１の帯の自由端は、弾性波形部の前部と細長い開口部との上に折り返され、弾性波形部を締め付けるために引き締められる。次いで、第１の帯の自由端は、第１の弾性波形部と本体部分との間で第１の帯の一部の上に折り返して固定される。この点に関して、フックアンドループ締結材料が、第１の帯の自由端を第１の弾性波形部と本体部分との間で第１の帯の一部の上に固定するために、第１の帯の前表面および後表面の両方の上に配置される。
【００３２】
別法として、より緊密な嵌合いのために、セグメントを細長い溝の中でさらに固定するように、帯の第３の対からの第２の帯を弾性波形部、細長い開口部、およびセグメントの上に持って来る。第２の帯の後表面には、第２の帯の後表面を第１の帯の表面上のフックアンドループ材料に固定するために、フックアンドループ材料が設けられる。
【発明を実施するための最良の形態】
【００３３】
全図を通して同様の数字が同様の品目を示す以下の図面を参照して、実施形態を説明する。
【００３４】
ここで図１を参照すると、本発明の一実施形態に従う、使用者１０の少なくとも１点の衣類１５に着用された携帯型通信システム５０の後方斜視図が示されている。携帯型通信システム５０は、使用者１０の少なくとも１点の衣類１５に着用されるアンテナ組立体１００を具備する。携帯型通信システム５０が着用されうる少なくとも１点の衣類１５には、シャツ、ベルト、ズボン、およびベスト、または当業者に知られた他の任意の衣類が含まれる。図１に示された実施形態では、衣類１５はベストであり、そこに携帯型通信システム５０が、使用者１０によって携行されるように取り付けられる。ベスト１５は、兵士の上半身を砲弾または同様物からの衝撃から保護するための身体装甲を内蔵する、兵士によって通常着用されるタイプでよい。
【００３５】
携帯型通信システム５０は、同様に使用者１０の衣類１５に着用されうる携帯型無線機のような携帯型通信装置１２５を具備することができる。例えば、携帯型通信装置１２５は、米国ニューヨーク州ロチェスター市（Ｒｏｃｈｅｓｔｅｒ）所在のハリスアールエフコミュニケーションズ事業部（Ｈａｒｒｉｓ  ＲＦ  Ｃｏｍｍｕｎｉｃａｔｉｏｎｓ  Ｄｉｖｉｓｉｏｎ）によって販売された小型軽量のＶＨＦ手持ち型無線機であるハリスコーポレーション社（Ｈａｒｒｉｓ  Ｃｏｒｐｏｒａｔｉｏｎ）製のモデルＲＦ−５８００Ｖ−ＨＨ無線機でよい。このモデルＲＦ−５８００Ｖ−ＨＨ無線機は、３０〜１０８ＭＨｚの広い周波数域にわたって動作する。しかし、本発明は、当業者に知られている他の携帯型通信装置が使用されてもよいので、この点に関して限定されるものではない。
【００３６】
携帯型通信装置１２５は、当分野で知られているように、主アンテナとして「ラバーダック」または「ホイップアンテナ」１２６が従来通りに装備されうる。しかし、先に論じたように、このようなアンテナは、それらのより長い到達範囲の通信能力が限定される。以上に鑑み、アンテナ組立体１００は、そのように携帯型通信装置１２５に装備される場合には、より長い到達範囲の通信能力のために補助コネクタ（図示せず）に結合されうる。別法として、補助コネクタが設けられていなければ、アンテナ組立体１００は、ラバーダックアンテナまたはホイップアンテナ１２６に設けられたコネクタに結合されうる。さらに、アンテナ組立体１００は、従来のブレードアンテナを有する別様であれば扱い難いアンテナ組立体１００のせいで、携帯型通信装置１２５を背嚢の中で携行しなければならないという問題を排除するために、使用者１０の衣類１５に着用されうる。この配置はまた、操作がより便利である使用者１０の衣類１５の前部に携帯型通信装置１２５が着用されることを可能にする。
【００３７】
アンテナ組立体１００は、第１のダイポール要素１０５と、第２のダイポール要素としての役目も果たす柔軟な本体部分または導電スリーブ１１０と、第１のダイポール要素１０５および導電スリーブ１１０に結合されたダイポールフィード整合ネットワーク１０６と、ダイポールフィード整合ネットワーク１０６から延びる伝送線１１１とを具備する。導電スリーブ１１０は、この導電スリーブ１１０の下端に隣接する雑音フィルタ１１４に結合される伝送線１１１を包囲する。雑音フィルタ１１４は、アンテナ組立体１００から携帯型通信装置１２５中の受信器に送達される干渉雑音を低減する。同軸ケーブル１２０の一端にある第１のコネクタ１２１に結合するために、雑音フィルタ１１４に配置されたコネクタ１１５が存在する。携帯型通信装置１２５にあるコネクタ（図示せず）に結合するために、同軸ケーブル１２０の対向端に第２のコネクタ１２２が存在する。
【００３８】
第１のダイポール要素１０５は、当業者に理解されるように、第１のダイポール要素１０５に柔軟性を与えるために一続きの累進的に長くなる紐形状の導体から形成されうる。したがって、第１のダイポール要素１０５は、保管および輸送のために折り畳み可能であるが、解放されるとき、完全に延びきった位置に跳ね出す。図１に示された実施形態では、第１のダイポール要素１０５は折り畳んだ構成で示されている。上述のＶＨＦ域では、第１のダイポール要素１０５は、約９１．４センチメートル（約３６インチ）の長さを有しうる。しかし、本発明はこの点に関して限定されるものではない。
【００３９】
ほぼ同一のアンテナ組立体１００が、参照により完全に書き換えられたものとして本明細書に組み込まれる、本出願人のパッカー（Ｐａｃｋｅｒ）への米国特許第６９４０４６２号に開示されている。アンテナ組立体１００は、使用者１０の少なくとも１点の衣類１５に着用されうるアンテナ組立体の１つの可能な構成であることを理解すべきである。しかし、当業者に知られているように、可能な数多くのアンテナ組立体１００の構成が存在しうる。
【００４０】
アンテナ組立体１００は、少なくとも１つの使用者着用型のアンテナ締結装置２００を使用して衣類１５に取り付けられる。図１に示された実施形態では、使用者１０の左肩付近で衣類１５に取り付けられた上部使用者着用型アンテナ締結装置２００と、使用者１０の腰の上方で衣類１５の中心に取り付けられた下部使用者着用型アンテナ締結装置２００とが存在する。しかし、本発明は、任意の数の使用者着用型アンテナ締結装置２００が使用可能であり、かつ使用者１０の衣類１５の任意の箇所に取付け可能であるので、この点に関して限定されるものではない。好ましい実施形態によれば、使用者着用型アンテナ締結装置は、アンテナ動作との相互作用をいずれも最小限にするように誘電材料から形成される。依然として、本発明は、この点に関して限定されるものではなく、使用者着用型アンテナ締結装置は金属または任意の他の材料からも形成可能である。
【００４１】
さらに、本発明は、使用者１０の衣服または衣類１５に使用者着用型アンテナ締結装置２００を使用することに限定されるものではない。本発明の別の実施形態（図示せず）では、アンテナ締結装置２００が、アンテナ組立体１００を車両の中に取り付けるために車両パネルのような表面に取り付けられうる。依然として、本発明は、アンテナ締結装置２００を使用して、当業者に知られているように、アンテナ組立体１００を任意所望の箇所に取付け可能であるので、この点に関して限定されるものではない。
【００４２】
少なくとも１つの使用者着用型アンテナ締結装置２００は、アンテナ組立体１００を衣類１５に対して容易かつ簡易に取付けおよび取外しするように構成される。図１に示された実施形態では、少なくとも１つの使用者着用型アンテナ締結装置２００は、アンテナ組立体１００の柔軟なアンテナ本体部分１１０のセグメント１１０ａ（図２〜５）を解放自在に固定するように構成される。少なくとも１つの使用者着用型アンテナ締結装置２００は、簡易切離し様態で、柔軟なアンテナ本体部分１１０のセグメント１１０ａ（図２〜５）を解放自在に固定するように構成される。これによって、使用者１０は、アンテナ組立体１００を使用する際により多くの融通性が得られる。
【００４３】
例えば、使用者１０は、時にはアンテナ組立体１００を取り外して、例えば、より適切な到達範囲を求めて、その組立体をより高い位置に持ち上げようと望む場合もありうる。さらに、少なくとも１つの使用者着用型アンテナ締結装置２００はまた、アンテナ組立体１００の一部が、例えば、木の枝に引っ掛かった状態になる場合に、アンテナ組立体１００の柔軟なアンテナ本体部分１１０の固定されたセグメント１１０ａ（図２〜５）を解放するように構成される。簡易切離し特徴が備わっていなければ、引っ掛かったアンテナ組立体１００によって、使用者１０の動きが制約されかつ自分自身を自由にできない状況に使用者１０が陥る恐れがありうる。これは使用者１０を大きな危険にさらす恐れがある。
【００４４】
簡易切離し特徴が備わっていれば、使用者１０は、セグメント１１０ａを引っ張るかまたはそれに十分な力を加えることによって、アンテナ組立体１００の１つまたは複数の固定されたセグメント１１０ａ部分をそれぞれの使用者着用型アンテナ締結装置２００から解放することができる。一旦、アンテナ組立体１００の一部が使用者着用型アンテナ締結装置２００から解放されると、アンテナ組立体は、それが引っ掛かった状態になっている物体から解かれうる。別法として、使用者１０が十分な力で物体から身を引き離せば、少なくとも１つの使用者着用型アンテナ締結装置２００の１つまたは複数の装置がアンテナ組立体１００の固定されたセグメント１１０ａを自動的に解放する。一旦、物体が外れると、アンテナ組立体１００の上記のセグメント１１０ａは、少なくとも１つの使用者着用型アンテナ締結装置２００に再び解放自在に固定されうる。この動作は、アンテナ組立体が引っ掛かった状態になったら、アンテナ組立体を使用者の少なくとも１つの衣類から自動的に解放することがない従来技術の使用者着用型アンテナ締結装置とは著しく異なるものである。このような従来技術の装置は、アンテナ組立体を少なくとも１つの使用者着用型アンテナ締結装置から解放するために、アンテナ組立体の引っ掛かりを解こうとする前に、しばしばノブまたはレバーを操作する必要がある。
【００４５】
ここで図２および３を参照すると、柔軟なアンテナ本体部分１１０のセグメント１１０ａが、少なくとも１つの使用者着用型アンテナ締結装置２００の細長い受入れ部分２１０によって画定された細長い溝２１１と位置合わせされかつその中へ強制されることが観察できる。柔軟なアンテナ本体部分１１０のセグメント１１０ａは、細長い受入れ部分２１０の固定力に打ち勝つほどの十分な力で引っ張られるまで、溝２１１の中に確実に保持される。柔軟なアンテナ本体部分１１０のセグメント１１０ａを細長い受入れ部分２１０の中に取り付けかつそれを取り外す動作が、以下でさらに詳細に説明される。さらには、使用者１０の衣類１５に対する少なくとも１つの使用者着用型アンテナ締結装置２００の取付けが以下で説明される。
【００４６】
再び図２および３を参照すると、使用者着用型アンテナ締結装置２００は、本体部分２０５と、それに取り付けられた細長い受入れ部分２１０とを具備する。本体部分２０５は、衣類１５の表面１５’のような表面に本体部分２０５を装着するために複数の穴および／または細穴を含む。本体部分２０５の中に画定された複数の穴および／細穴は、本体部分２０５を表面１５’に装着する際に最大限の多用性を与える。
【００４７】
例えば、細長い細穴２３５が、本体部分２０５の第１の縁２０６に沿って細長い受入れ部分２１０の両側に設けられる。細長い細穴２３０が、本体部分２０５の第２の縁２０７に沿って細長い受入れ部分２１０の両側に同様に設けられる。穴２４０の対が、本体部分２０５の第３および第４の縁２０８、２０９に隣接して細長い受入れ部分２１０の両側に設けられる。細長い細穴２４５（１つのみが以下の図２および図３に見られる）の別の対が、細長い受入れ部分２１０の両側に存在しうる。穴２４０、２４０または細長い細穴２３０、２３０および２３５、２３５および２４５、２４５の任意の組合せを使用して、本体部分２０５を衣類１５の表面１５’に装着することができる。
【００４８】
図２および以下の図３〜５では、例示目的で、表面１５’を有する衣類１５の切取り部分が、図１における本発明の実施形態に対応して想像線(phantom)で示されている。以上の穴２４０または細長い細穴２３０および２３５を使用して、本体部分２０５は、図示された衣類１５の一部のような表面１５’に取付け手段を使用することによって装着されうる。
【００４９】
例えば、取付け手段は、水平な細穴に作られた穴２３５を通る帯７６、７７の第１の対を含みうる。水平の輪１６（図４で最も適切に理解される）が衣類１５の表面１５’の上に有利に設けられる。水平の輪１６は、繊維から形成され、縫製のような手段または当業者に知られた他の手段によって衣類１５の表面１５’に装着されうる。帯７６、７７は、本体部分２０５の背後に取り付く帯中心部分７５に連結されかつその部分から延びる。同様に帯本体部分７５に連結される帯７８、７９の第２の対が存在する。帯７６、７７の第１の対および帯７８、７９の第２の対と帯中心部分７５とは、繊維のような適切な材料または当業者に知られた他の材料から形成されうる。
【００５０】
帯７８、７９の第２の対は、その遠端が帯７６、７７のそれぞれの遠端に付着する前に、それぞれの水平な細穴に作られた穴２３０を通る。帯７６、７７の遠端およびそれぞれの遠端７８、７９は、それらの上に配置された従来のフックアンドループ締結具を使用して付着されることが好ましい。別法として、帯７６、７７および７８、７９の片面の表面全体が、帯７６、７７を帯７８、７９に相互連結するためにフックアンドループ材料を含んでよい。
【００５１】
帯中心部分７５に連結されかつそこから延びる帯８０、８１の第３の対が存在しうる。帯８０、８１の第３の対は、垂直な細穴に作られた穴２４５、２４５に通される。帯８０、８１の第３の対の第１の帯８１の自由端が、第１の細長い波形部２１６の中に画定された第１の細穴２１８に通される。さらに第１の帯８１の自由端が、第２の細長い波形部２１５の中に画定された第２の細穴２１７に通される。第１の帯８１の自由端は、第２の細長い波形部２１５、細長い開口部２１２、および第１の細長い波形部２１６の上に折り返される前に、第１および第２の細穴２１７、２１８の両方に通して引き締められる。次いで、第１の帯８１の自由端は、第１の細長い波形部２１６と本体部分２０５との間で第１の帯８１の一部に固定される。この点に関して、第１の細長い波形部２１６と本体部分２０５との間で第１の帯８１の自由端を第１の帯８１の一部に固定するために、フックアンドループ締結材料が、第１の帯８１の前表面および後表面の両方に配置される。
【００５２】
細長い波形部２１５、２１６を締め付けるほどに十分な力で、第１の帯８１を第１および第２の細穴２１７、２１８の両方に通して引き締めることによって、セグメント１１０ａを細長い受入れ部分２１０によって画定された細長い溝２１１の中でさらに固定する。この点に関して、第１の帯８１によって与えられた細長い波形部２１５、２１６の追加的な締付け力がなければ、細長い波形部２１５、２１６の通常の締付け力は、細長い溝２１１の中のセグメント１１０ａが、例えば、兵士の走行中に上下に滑脱するのを防止するほどに十分ではありえない。さらには、より適切な受信を求めて第１のダイポール要素１０５が９０度上向きに屈曲した状態で、兵士が地面に腹這いになっていれば、セグメント１１０ａは細長い溝２１１の中で回転する恐れがある。第１の帯８１によって与えられた、波形部２１５、２１６によってセグメント１１０ａに掛かる追加的な締付け力は、セグメント１１０ａの滑脱または回転を防止する。さらには、それ自体に留められた第１の帯８１を使用することによって、アンテナ組立体１００が木の枝に引っ掛かった状態になる恐れが生じる場合に簡易切離しが可能となる。
【００５３】
別法として、アンテナ組立体１００が引っ掛かった状態になる恐れがなければ、より緊密な嵌合いのために、セグメント１１０ａを細長い溝２１１の中でさらに固定されるように、帯８０、８１の第３の対からの第２の帯８０を細長い波形部２１５、２１６の上部、細長い開口部２１２、およびセグメント１１０ａの上に持って来ることが可能である。第２の帯８０の後表面には、第２の帯８０の後表面を第１の帯８１の表面上にあるフックアンドループ材料に固定するためにフックアンドループ材料が設けられる。
【００５４】
本発明の別の実施形態では、本体部分２０５を衣類１５の表面１５’に装着する手段が、従来の金属クリップ対の使用を含む。例えば、一般にＡＬＩＣＥクリップと呼ばれるスライドキーパは、滑動する平坦鋼鉄部品を有する鋼鉄製の直角「Ｕ字」形部材である。その閉じた構成では、この種の金属クリップは四角形を形成する。この金属クリップ（図示せず）は、本体部分２０５の第１の縁２０６に隣接する水平穴２３５と衣類の上の輪１６とに通されうる。金属クリップ（図示せず）が水平な細穴に作られた穴２３５に通されると、金属クリップ（図示せず）の滑動部分は、本体部分２０５を衣類１５の上の輪１６に固定する閉じた位置に移動することができる。
【００５５】
本発明の別の実施形態では、本体部分を衣類１５の表面１５’に装着する手段は、従来のカラビナクリップ（図示せず）の使用を含む。カラビナクリップは、ばね偏倚リンク部分を有する金属環である。カラビナクリップは、構成要素を他の物体に簡易かつ可逆的に連結するために通常使用される。カラビナクリップの金属環は、本体部分２０５の第３および第４の縁２０８、２０９に隣接して配置された穴２４０の対と衣類１５の上の輪１６とに通されうる。カラビナクリップ（図示せず）のばね偏倚リンク（図示せず）は、本体部分２０５を輪１６に固定するために、カラビナクリップ（図示せず）が穴２４０、２４０および輪１６に通されると、閉じた位置に自動的に移動する。
【００５６】
別法として、任意の知られた軍事用または当業者に知られた他の締結技術を使用して、本体部分２０５を衣類１５の表面１５’に装着するために、任意の他の手段が使用可能である。
【００５７】
再度図２を参照すると、柔軟なアンテナ本体部分１１０のセグメント１１０ａが、セグメント１１０ａの細長い軸を細長い受入れ部分２１０の細長い開口部２１２と位置合わせすることによって、細長い受入れ部分２１０の中へ挿入されることが観察できる。細長い開口部２１２は、少なくとも１つの弾性のまたは細長い波形部によって画定される。図示された本発明の実施形態では、少なくとも１つの波形部が、細長い受入れ部分２１０の対向する弾性波形部２１５、２１６の対である。細長い開口部は、所定幅の第１の幅を有する。弾性波形部２１５、２１６は、柔軟なアンテナ本体部分１１０のセグメント１１０ａを細長い開口部２１２を通して矢印３００の方向へ案内する役目を果たす。また弾性波形部２１５、２１６は、より大きな直径のセグメント１１０ａが、細長い受入れ部分２１０の中に画定された細長い溝２１１の中へ強制されるとき、細長い開口部２１２が所定幅の第２の幅に拡張することを可能にする。より大きな直径のセグメント１１０ａは、以下で説明するように、細長い溝２１１の選択された所定の直径に対応する所定の直径である。
【００５８】
使用に際して、使用者１０によってセグメント１１０ａに加えられた力Ｆは、セグメント１１０ａを細長い開口部２１２に向かって矢印３００の方向へ強制する。セグメント１１０ａに加えられた力は、柔軟なアンテナ本体部分１１０のセグメント１１０ａが細長い開口部２１２に通して強制されるとき、矢印３０５、３０６によってそれぞれ示されたような弾性波形部２１５、２１６の動きをもたらす。
【００５９】
依然として図２を参照するが、ここで図３〜５も参照すると、一旦、セグメント１１０ａが細長い溝２１１の中に受け入れられると、弾性波形部２１５、２１６はその通常の位置に戻り、それによってセグメント１１０ａを細長い受入れ部分２１０の細長い溝２１１の中に固定する。細長い溝２１１は、その中に固定された柔軟なアンテナ本体部分１１０のセグメント１１０ａの直径に実質的に等しいかまたはそれよりも僅かに小さい所定の直径を有する円形断面（図５で最も適切に理解される）である。これは、弾性波形部２１５、２１６がその通常の位置に戻るとき、細長い受入れ部分２１０の細長い溝２１１を画定する側壁によってセグメント１１０ａに固定力を加える。
【００６０】
弾性波形部２１５、２１６と細長い受入れ部分２１０の細長い溝２１１とは、共同してセグメント１１０ａに固定力を加え、この固定力よりも大きい力がセグメント１１０ａに対して矢印３００の逆方向に加えられるまで、セグメント１１０ａを保持する。固定力よりも大きい力がセグメント１１０ａに加えられれば、セグメント１１０ａは、細長い受入れ部分２１０の細長い溝２１１から自動的に解放される。
【００６１】
ここで図５を参照すると、以上の図でベスト１５の表面１５’に装着された使用者着用型アンテナ締結装置２００の上面図が示されている。図５は、アンテナ組立体１００の柔軟なアンテナ本体部分１１０を表面１５’に解放自在に固定する過程を理解するのに有用である。その図で例示されたように、セグメント１１０ａ’（例示目的のために想像線で示す）が、細長い受入れ部分２１０の細長い開口部２１２と位置合わせされる。力Ｆが、セグメント１１０ａ’を細長い開口部２１２に向かって矢印３００の方向へ強制するために、使用者１０によってセグメント１１０ａ’に掛けられる。
【００６２】
上で留意したように、弾性波形部２１５、２１６は、柔軟なアンテナ本体部分１１０のセグメント１１０ａ’を案内して細長い開口部２１２に通す役目を果たす。また弾性波形部２１５、２１６は、より大きな直径のセグメント１１０ａ’が、細長い受入れ部分２１０の中に画定された細長い溝２１１の中へ強制されるとき、細長い開口部２１２を強制して第２の幅に拡張する役目も果たす。柔軟なアンテナ本体部分１１０のセグメント１１０ａ’が細長い開口部２１２に通して強制されるときの弾性波形部２１５、２１６の動きが、矢印３０５、３０６によってそれぞれ示されている。
【００６３】
一旦、セグメント１１０ａが細長い溝２１１の中に着座すると、弾性波形部２１５、２１６はその通常の位置に戻り、それによってセグメント１１０ａを細長い受入れ部分２１０の細長い溝２１１の中に固定する。先に論じたように、帯８１の自由端は、弾性波形部２１５、２１６の中の第１および第２の細穴２１７、２１８に通され、次いでセグメント１１０ａを細長い溝２１１の中でさらに固定するために、それ自体の上に折り返して固定される。次いで、より緊密な嵌合いのために、セグメント１１０ａを細長い溝２１１の中でさらに固定するように、帯８０を弾性波形部２１５、２１６の上部、細長い開口部２１２、およびセグメント１１０ａの上に持って来ることができる。
【００６４】
ここで特に図６および図１〜５を参照すると、携帯型通信システム５０用のアンテナ組立体１００を使用者１０の少なくとも１点の衣類１５に取り付ける方法４００の一実施形態の流れ図が示されている。本方法は、ステップ４０１から始まり、ステップ４０２に続く。
【００６５】
ステップ４０２では、締結装置２００のような使用者着用型アンテナ締結装置の本体部分２０５が、取付け手段を使用して使用者１０の少なくとも１点の衣類１５に取り付けられる。この取付け手段は、フックアンドループ締結具、ＡＬＩＣＥクリップの対、または本体部分の細穴に作られたもしくは他の穴と衣類１５の表面１５’の上の輪１６とに通るカラビナクリップを使用する複数の帯であるように選択されうる。別法として、取付け手段は、当業者に知られた任意の他の軍事用または他の締結技術を含みうる。少なくとも１点の衣類１５は、シャツ、ズボン、ベルト、またはベストであるように選択されうる。
【００６６】
ステップ４０３で、アンテナ組立体１００のセグメント１１０ａは、本体部２０５の上に画定された受入れ部分２１０の中に画定された細長い開口部２１２と位置合わせされる。細長い溝２１１の中へ開く細長い開口部２１２は、所定の第１の幅がある。細長い溝２１１は、アンテナ組立体１００のセグメント１１０ａを受け入れかつ解放自在に固定するように構成される。
【００６７】
ステップ４０４で、少なくとも１つの弾性波形部によって案内されたセグメント１１０ａは、細長い開口部２１２に通して細長い溝２１１の中へ強制される。このステップはまた、力を弾性波形部に加えるステップを含む。弾性波形部に対する力は、セグメント１１０ａが細長い開口部２１２に通して強制されるとき、細長い開口部２１２を所定の第２の幅に拡張させる。このステップはまた、セグメント１１０ａが細長い開口部２１２を通り抜けてしまうと弾性波形部が通常の位置に戻って、固定力を細長い溝２１１の中のセグメント１１０ａに加えるステップを含む。本発明の別の実施形態では、本方法は、弾性波形部が、細長い開口部２１２を画定する弾性波形部２１５、２１６の対であるように選択するステップを含みうる。
【００６８】
ステップ４０５で、細長い溝２１１は、セグメント１１０ａの直径に実質的に等しいかまたはそれよりも小さい所定の直径を有するように選択される。この実質的に等しいかまたは小さい直径は、細長い溝２１１の中のセグメント１１０ａに追加的な固定力を加えるように構成される。弾性波形部および細長い溝２１１は、固定力に打ち勝つのに十分な力がセグメント１１０ａに加えられるとき、セグメント１１０ａを自動的に解放するように構成される。
【００６９】
ステップ４０６で、帯８０、８１の第３の対からの第１の帯８１の自由端が、第１の弾性波形部２１６の中に画定された第１の細穴２１８に通される。帯８０、８１の第３の対は、本体部分２０５の中の垂直な細穴に作られた穴２４５、２４５に通される。第１の帯８１の自由端は、第２の弾性波形部２１５の中に画定された第２の細穴２１７にさらに通される。第１の帯８１の自由端は、第２の弾性波形部２１５、細長い開口部２１２、および第１の弾性波形部２１６の上に折り返される。第１の帯８１は、第１の弾性波形部２１６と本体部分２０５との間で第１の帯８１の一部に固定される前に、第１および第２の細穴２１７、２１８の両方に通して引き締められる。この点に関して、第１の帯８１の自由端を第１の弾性波形部２１６と本体部分２０５との間で第１の帯８１の一部に固定するために、フックアンドループ締結材料が、第１の帯８１の前表面および後表面の両方に配置される。
【００７０】
別法として、次いで、より緊密な嵌合いのために、セグメント１１０ａを細長い溝２１１の中でさらに固定するように、帯８０、８１の第３の対からの第２の帯８０を弾性波形部２１５、２１６、細長い開口部２１、およびセグメント１１０ａの上に持って来ることができる。第２の帯８０の後表面には、第２の帯８０の後表面を第１の帯８１の表面上にあるフックアンドループ材料に固定するために、フックアンドループ材料が備わっている。
【００７１】
本方法はステップ４０７で終了する。
【図面の簡単な説明】
【００７２】
【図１】本発明の実施形態の理解に有用である、アンテナ組立体および携帯型通信装置を備える携帯型通信システムを着用する使用者の背面図である。
【図２】アンテナ組立体のセグメントを細長い受入れ部分の中へ挿入したところを示す、使用者の衣類の一部に装着された図１の通信システムの使用者着用型アンテナ締結装置の拡大斜視図である。
【図３】細長い受入れ部分の中に解放自在に固定されたアンテナ組立体のセグメントを示す、図２の使用者着用型アンテナ締結装置の拡大斜視図である。
【図４】使用者の衣類の一部に装着された図３の使用者着用型アンテナ締結装置の右側図であり、本装置の細長い受入れ部分の中に解放自在に固定されたアンテナ組立体のセグメントを示す図である。
【図５】アンテナ組立体のセグメントが細長い受入れ部分の中に解放自在に固定されている、使用者の衣類の一部に取り付けられた図２の使用者着用型アンテナ締結装置の上面図である。
【図６】携帯型通信システムのアンテナ組立体を使用者の少なくとも１点の衣類に解放自在に固定する装置を使用する方法の一実施形態の流れ図である。
【符号の説明】
【００７３】
１０  使用者
１５  衣類
１６  輪
５０  携帯型通信システム
７５  帯中心部分
７６、７７、７８、７９、８０、８１  帯
１００  アンテナ組立体
１０５  第１のダイポール要素
１０６  ダイポールフィード整合ネットワーク
１１０  導電スリーブ
１１０ａ  セグメント
１１１  伝送線
１１４  雑音フィルタ
１１５  コネクタ
１２０  同軸ケーブル
１２１  第１のコネクタ
１２２  第２のコネクタ
１２５  携帯型通信装置
１２６  ラバーダックまたはホイップアンテナ
２００  締結装置
２０５  本体部分
２０６  第１の縁
２０７  第２の縁
２０８  第３の縁
２０９  第４の縁
２１０  細長い受入れ部分
２１１  細長い溝
２１２  細長い開口部
２１５  第２の細長い波形部
２１６  第１の細長い波形部
２１７  第２の細穴
２１８  第１の細穴
２３０  水平な細穴に作られた穴
２３５  水平穴
２４０  穴
２４５  垂直な細穴に作られた穴
３００、３０５、３０６  矢印
【図１】
2010021756.tif 000003
【図２】
2010021756.tif 000004
【図３】
2010021756.tif 000005
【図４】
2010021756.tif 000006
【図５】
2010021756.tif 000007
【図６】
2010021756.tif 000008
【外国語明細書】
2010021756000001.pdf